(57)【要約】  患者からの体液用のインライン式貯蔵・液体処理パウチであって、貯蔵・液体処理パウチの第１のチャンバに体液が導入され、かつ第２のチャンバを空気が流れることを含む、インライン式貯蔵・液体処理パウチが提示される。チャンバは、高透湿度部材によって分割されている。第２のチャンバにおける空気の流れによって、高透湿度部材にわたる第１のチャンバからの液体の除去を高める。他のシステム、装置、および方法が本明細書において開示される。【選択図】図１
2014516294.tif 000002
【特許請求の範囲】
【請求項１】
減圧を用いて患者の組織部位を治療するためのシステムにおいて、前記システムが：
前記組織部位に近接して配置するための減圧ドレッシングと；
前記減圧ドレッシングに流体的に結合されて、そこに減圧を供給する第１の減圧導管と；
第１の高透湿度部材によって分離された第１のチャンバおよび第２のチャンバを有するインライン式貯蔵・液体処理パウチであって、前記第１の減圧導管が前記第１のチャンバに流体的に結合されている、インライン式貯蔵・液体処理パウチと；
前記第１のチャンバに流体的に結合された減圧源と；
第１の蒸発ポートにおいて前記第２のチャンバに流体的に結合された圧力源と；
前記インライン式貯蔵・液体処理パウチに形成された第２の蒸発ポートと
を含み、
前記圧力源が前記第２のチャンバ内で空気を動かすように構成されていることを特徴とする、システム。
【請求項２】
請求項１に記載のシステムにおいて、前記インライン式貯蔵・液体処理パウチが：
前記第１のチャンバおよび前記第２のチャンバを形成するために、前記第１の高透湿度部材によって２つの部分に分割される内部を有するパウチ本体と；
前記第１のチャンバ内に配置される貯蔵材と；
前記第２のチャンバ内に配置される空気移動マニホールドと
を含むことを特徴とする、システム。
【請求項３】
請求項２に記載のシステムにおいて、前記貯蔵材が吸収部材を含むことを特徴とする、システム。
【請求項４】
請求項２に記載のシステムにおいて、前記貯蔵材が吸収部材および第１の吸上部材を含むことを特徴とする、システム。
【請求項５】
請求項２に記載のシステムにおいて、前記貯蔵材が、吸収部材、第１の吸上部材、および第２の吸上部材を含み、前記吸収部材が前記第１の吸上部材と前記第２の吸上部材との間に配置されていることを特徴とする、システム。
【請求項６】
患者からの体液用のインライン式貯蔵・液体処理パウチにおいて、
第１のチャンバおよび第２のチャンバを形成するために、第１の高透湿度部材によって２つの部分に分割される内部を有するパウチ本体と；
前記第１のチャンバ内に配置される貯蔵材と；
前記第２のチャンバ内に配置される空気移動マニホールドと；
前記パウチ本体に形成されかつ前記第１のチャンバに流体的に結合されている第１のポートと；
前記パウチ本体に形成されかつ前記第１のチャンバに流体的に結合されている第２のポートと；
前記パウチ本体に形成されかつ前記第２のチャンバに流体的に結合されている第１の蒸発ポートと；
前記パウチ本体に形成されかつ前記第２のチャンバに流体的に結合されている第２の蒸発ポートと
を含むことを特徴とする、インライン式貯蔵・液体処理パウチ。
【請求項７】
請求項６に記載のインライン式貯蔵・液体処理パウチにおいて、前記貯蔵材が吸収部材を含むことを特徴とする、インライン式貯蔵・液体処理パウチ。
【請求項８】
請求項６に記載のインライン式貯蔵・液体処理パウチにおいて、前記貯蔵材が吸収部材および第１の吸上部材を含むことを特徴とする、インライン式貯蔵・液体処理パウチ。
【請求項９】
請求項６に記載のインライン式貯蔵・液体処理パウチにおいて、前記貯蔵材が、吸収部材、第１の吸上部材、および第２の吸上部材を含み、前記吸収部材が前記第１の吸上部材と前記第２の吸上部材との間に配置されていることを特徴とする、インライン式貯蔵・液体処理パウチ。
【請求項１０】
請求項６に記載のインライン式貯蔵・液体処理パウチにおいて、前記パウチ本体に結合されかつ前記第１の減圧ポートに流体的に結合されている第１のマイクロポンプをさらに含み、前記第１のマイクロポンプが、前記第１のポートに供給される減圧を生じるように動作可能であることを特徴とする、インライン式貯蔵・液体処理パウチ。
【請求項１１】
請求項６に記載のインライン式貯蔵・液体処理パウチにおいて、前記パウチ本体に結合されかつ前記第１の蒸発ポートに流体的に結合されている第２のマイクロポンプをさらに含み、前記第２のマイクロポンプが、前記第２のチャンバにおいて、前記第１の蒸発ポートと前記第２の蒸発ポートとの間に空気の流れを生じるように動作可能であることを特徴とする、インライン式貯蔵・液体処理パウチ。
【請求項１２】
請求項６に記載のインライン式貯蔵・液体処理パウチにおいて、
前記パウチ本体に結合されかつ前記第１の減圧ポートに流体的に結合されている第１のマイクロポンプであって、前記第１のポートに供給される減圧を生じるように動作可能である第１のマイクロポンプと；
前記パウチ本体に結合されかつ前記第１の蒸発ポートに流体的に結合されている第２のマイクロポンプであって、前記第２のチャンバにおいて、前記第１の蒸発ポートと前記第２の蒸発ポートとの間に空気の流れを生じるように動作可能である第２のマイクロポンプと
をさらに含むことを特徴とする、インライン式貯蔵・液体処理パウチ。
【請求項１３】
請求項６に記載のインライン式貯蔵・液体処理パウチにおいて、前記パウチ本体の表面積が、平面図において、２００平方センチメートル超、および７３０平方センチメートル未満であることを特徴とする、インライン式貯蔵・液体処理パウチ。
【請求項１４】
患者の外側にある体液を一時的に貯蔵および処理する方法において、
インライン式貯蔵・液体処理パウチを提供するステップであって、前記インライン式貯蔵・液体処理パウチが：
第１のチャンバおよび第２のチャンバを形成するために、第１の高透湿度部材によって２つの部分に分割される内部を有するパウチ本体、
前記第１のチャンバ内に配置される貯蔵材、
前記第２のチャンバ内に配置される空気移動マニホールド、
前記パウチ本体に形成されかつ前記第１のチャンバに流体的に結合されている第１のポート、
前記パウチ本体に形成されかつ前記第１のチャンバに流体的に結合されている第２のポート、
前記パウチ本体に形成されかつ前記第２のチャンバに流体的に結合されている第１の蒸発ポート、および
前記パウチ本体に形成されかつ前記第２のチャンバに流体的に結合されている第２の蒸発ポート
を含むステップと；
液体を含む前記体液を、前記第１のポートへおよび前記第１のチャンバまで供給するステップと；
前記空気移動マニホールドを通して前記第２のチャンバに空気の流れを発生させるステップであって、それにより、前記第１の高透湿度部材にわたって湿度勾配が維持され、前記第１のチャンバから液体を蒸発させるステップと
を含むことを特徴とする、方法。
【請求項１５】
請求項１４に記載の方法において、体液を供給する前記ステップが：前記第２のポートに減圧を供給し、かつ前記第１のポートを前記患者に流体的に結合して、体液を受け取ること含むことを特徴とする、方法。
【請求項１６】
請求項１４に記載の方法において、前記第２のチャンバに空気の流れを発生させる前記ステップが、前記第１の蒸発ポートに減圧を適用して、前記第２の蒸発ポートに空気が入ることができるようにすることを含むことを特徴とする、方法。
【請求項１７】
請求項１４に記載の方法において、前記第２のチャンバに空気の流れを発生させる前記ステップが、前記第１の蒸発ポートに正圧を適用して、前記第２の蒸発ポートから空気が出ることができるようにすることを含むことを特徴とする、方法。
【請求項１８】
請求項１４に記載の方法において、前記貯蔵材が吸収部材を含むことを特徴とする、方法。
【請求項１９】
請求項１４に記載の方法において、前記貯蔵材が吸収部材および第１の吸上部材を含むことを特徴とする、方法。
【請求項２０】
請求項１４に記載の方法において、前記貯蔵材が、吸収部材、第１の吸上部材、および第２の吸上部材を含み、前記吸収部材が、前記第１の吸上部材と前記第２の吸上部材との間に配置されていることを特徴とする、方法。
【請求項２１】
患者からの体液用のインライン式貯蔵・液体処理パウチにおいて、
第１のチャンバ、第２のチャンバ、および第３のチャンバを形成するために、第１の高透湿度部材および第２の高透湿度部材によって３つの部分に分割された内部を有するパウチ本体であって、前記第１のチャンバは、前記第２のチャンバと第３のチャンバとの間にある、パウチ本体と；
前記第１のチャンバ内に配置される貯蔵材と；
前記第２のチャンバ内に配置された第１の空気移動マニホールドと；
前記第２のチャンバ内に配置された第２の空気移動マニホールドと；
前記パウチ本体に形成されかつ前記第１のチャンバに流体的に結合されている第１のポートと；
前記パウチ本体に形成されかつ前記第１のチャンバに流体的に結合されている第２のポートと；
前記パウチ本体に形成されかつ前記第２のチャンバに流体的に結合されている第１の蒸発ポートと；
前記パウチ本体に形成されかつ前記第２のチャンバに流体的に結合されている第２の蒸発ポートと；
前記パウチ本体に形成されかつ前記第３のチャンバに流体的に結合されている第３の蒸発ポートと；
前記パウチ本体に形成されかつ前記第３のチャンバに流体的に結合されている第４の蒸発ポートと、
を含むことを特徴とする、インライン式貯蔵・液体処理パウチ。
【請求項２２】
請求項２１に記載のインライン式貯蔵・液体処理パウチにおいて、前記貯蔵材が吸収部材を含むことを特徴とする、インライン式貯蔵・液体処理パウチ。
【請求項２３】
請求項２１に記載のインライン式貯蔵・液体処理パウチにおいて、前記貯蔵材が吸収部材および第１の吸上部材を含むことを特徴とする、インライン式貯蔵・液体処理パウチ。
【請求項２４】
請求項２１に記載のインライン式貯蔵・液体処理パウチにおいて、前記貯蔵材が、吸収部材、第１の吸上部材、および第２の吸上部材を含み、前記吸収部材が前記第１の吸上部材と前記第２の吸上部材との間に配置されていることを特徴とする、インライン式貯蔵・液体処理パウチ。
【発明の詳細な説明】
【技術分野】
【０００１】
関連出願の相互参照
本発明は、３５  ＵＳＣ§１１９（ｅ）下において、２０１１年８月３１日出願の米国仮特許出願第６１／５２９，７０９号（「ＥＶＡＰＯＲＡＴＩＶＥ  ＦＬＵＩＤ  ＰＯＵＣＨ  ＡＮＤ  ＳＹＳＴＥＭＳ  ＦＯＲ  ＵＳＥ  ＷＩＴＨ  ＢＯＤＹ  ＦＬＵＩＤＳ」）（あらゆる点において参照することにより本願明細書に援用する）；２０１１年８月３１日出願の米国仮特許出願第６１／５２９，７２２号（「ＲＥＤＵＣＥＤ−ＰＲＥＳＳＵＲＥ  ＤＲＥＳＳＩＮＧＳ，  ＳＹＳＴＥＭＳ，  ＡＮＤ  ＭＥＴＨＯＤＳ  ＷＩＴＨ  ＥＶＡＰＯＲＡＴＩＶＥ  ＤＥＶＩＣＥＳ」）（あらゆる点において参照することにより本願明細書に援用する）；２０１１年８月３１日出願の米国仮特許出願第６１／５２９，７３５号（「ＡＢＳＯＲＢＥＮＴ  ＰＯＬＹＭＥＲ  ＤＲＥＳＳＩＮＧＳ，  ＳＹＳＴＥＭＳ，  ＡＮＤ  ＭＥＴＨＯＤＳ  ＥＭＰＬＯＹＩＮＧ  ＥＶＡＰＯＲＡＴＩＶＥ  ＤＥＶＩＣＥＳ」）（あらゆる点において参照することにより本願明細書に援用する）；２０１１年８月３１日出願の米国仮特許出願第６１／５２９，７５１号（「ＲＥＤＵＣＥＤ−ＰＲＥＳＳＵＲＥ  ＩＮＴＥＲＦＡＣＥＳ，  ＳＹＳＴＥＭＳ，  ＡＮＤ  ＭＥＴＨＯＤＳ  ＥＭＰＬＯＹＩＮＧ  Ａ  ＣＯＡＮＤＡ  ＤＥＶＩＣＥ」）（あらゆる点において参照することにより本願明細書に援用する）；および２０１１年４月１２日出願の米国特許出願第１３／０８４，８１３号（「ＤＲＥＳＳＩＮＧＳ  ＡＮＤ  ＭＥＴＨＯＤＳ  ＦＯＲ  ＴＲＥＡＴＩＮＧ  Ａ  ＴＩＳＳＵＥ  ＳＩＴＥ  ＯＮ  Ａ  ＰＡＴＩＥＮＴ」）（あらゆる点において参照することにより本願明細書に援用する）の利益を主張する。
【０００２】
本開示は、概して、滲出液などの液体を生じる創傷を治療するための治療システムに関し、より詳細には、限定するものではないが、蒸発装置を備える医療用減圧ドレッシング、システム、および方法に関する。
【背景技術】
【０００３】
創傷のケアは、治癒過程において重要である。創傷は、かなりの量の液体、例えば滲出液を生じることが多い。医療用ドレッシングは、創傷からの液体の生成に対処するために、創傷のケアにおいて使用されることが多い。適切に対処しないと、創傷における液体が感染または創傷周囲部の浸軟を引き起こし得る。本明細書を通して、「または」は相互排他性である必要はない。創傷ドレッシングは単独で使用してもよいし、または組織部位に減圧を行う態様として使用してもよい。
【０００４】
臨床試験および実習から、組織部位に近接して減圧をもたらすことによって、組織部位における新しい組織の成長を増強および加速することが示されている。この現象の適用は多数あるが、減圧を行うことは、創傷の治療においてかなり成功している。この治療（医学界では「陰圧閉鎖療法」、「減圧療法」、または「真空療法」と呼ばれることが多い）はいくつもの利点を提供し、それら利点には、迅速な治癒や肉芽組織の形成加速化が含まれる。
【発明の概要】
【０００５】
例示的実施形態によれば、患者からの体液用のインライン式貯蔵・液体処理パウチであって、パウチの第１のチャンバに体液が導入され、かつ第２のチャンバに空気が流れることを含み、各チャンバが高透湿度（ｈｉｇｈ−ｍｏｉｓｔｕｒｅ−ｖａｐｏｒ−ｔｒａｎｓｆｅｒ−ｒａｔｅ）部材によって分割されている、インライン式貯蔵・液体処理パウチが提示される。第２のチャンバにおける空気の流れによって、高透湿度部材にわたる第１のチャンバからの液体の除去を高める。
【０００６】
別の例示的実施形態によれば、減圧を用いて患者の組織部位を治療するためのシステムは、組織部位に近接して配置するための減圧ドレッシングと、減圧ドレッシングに流体的に結合されて、そこに減圧を供給する第１の減圧導管と、第１のチャンバおよび第２のチャンバを有するインライン式貯蔵・液体処理パウチとを含む。第１の減圧導管は第１のチャンバに流体的に結合されている。システムは、さらに、第１のチャンバに流体的に結合された減圧源と、第１の蒸発ポートにおいて第２のチャンバに流体的に結合された圧力源とを含む。システムはまた、インライン式貯蔵・液体処理パウチに形成された第２の蒸発ポートを含む。圧力源は、第２のチャンバ内で空気を動かすように構成される。
【０００７】
別の例示的実施形態によれば、患者からの体液用のインライン式貯蔵・液体処理パウチは、第１のチャンバおよび第２のチャンバを形成するために、前記第１の高透湿度部材によって２つの部分に分割される内部を有するパウチ本体を含む。インライン式貯蔵・液体処理パウチはまた、第１のチャンバ内に配置される貯蔵材と、第２のチャンバ内に配置される空気移動マニホールドとを含む。インライン式貯蔵・液体処理パウチはまた、パウチ本体に形成されかつ第１のチャンバに流体的に結合されている第１のポートと；パウチ本体に形成されかつ第１のチャンバに流体的に結合されている第２のポートと；パウチ本体に形成されかつ第２のチャンバに流体的に結合されている第１の蒸発ポートと；パウチ本体に形成されかつ第２のチャンバに流体的に結合されている第２の蒸発ポートを含む。
【０００８】
別の例示的実施形態によれば、患者の外部にある体液を一時的に貯蔵しかつ処理する方法は、インライン式貯蔵・液体処理パウチを提供するステップを含む。インライン式貯蔵・液体処理パウチは、第１のチャンバおよび第２のチャンバを形成するために、第１の高透湿度部材によって２つの部分に分割される内部を有するパウチ本体を含む。インライン式貯蔵・液体処理パウチは、さらに、第１のチャンバ内に配置される貯蔵材と、第２のチャンバ内に配置される空気移動マニホールドとを含む。インライン式貯蔵・液体処理パウチは、さらに、パウチ本体に形成されかつ第１のチャンバに流体的に結合されている第１のポートと；パウチ本体に形成されかつ第１のチャンバに流体的に結合されている第２のポートと；パウチ本体に形成されかつ第２のチャンバに流体的に結合されている第１の蒸発ポートと；パウチ本体に形成されかつ第２のチャンバに流体的に結合されている第２の蒸発ポートとを含む。この方法は、さらに、液体を含む体液を、第１のポートへおよび第１のチャンバまで供給するステップと、空気移動マニホールドを通る第２のチャンバに空気の流れを発生させるステップとを含む。その結果、湿度勾配が第１の高透湿度部材にわたって維持され、第１のチャンバから液体を蒸発させる。
【０００９】
さらに別の例示的実施形態によれば、患者からの体液用のインライン式貯蔵・液体処理パウチは、第１のチャンバ、第２のチャンバ、および第３のチャンバを形成するために、第１の高透湿度部材および第２の高透湿度部材によって３つの部分に分割された内部を有するパウチ本体を含む。第１のチャンバは、第２のチャンバと第３のチャンバとの間にある。インライン式貯蔵・液体処理パウチは、さらに、第１のチャンバ内に配置される貯蔵材と、第２のチャンバ内に配置された第１の空気移動マニホールドと、第２のチャンバ内に配置された第２の空気移動マニホールドとを含む。インライン式貯蔵・液体処理パウチはまた、パウチ本体に形成されかつ第１のチャンバに流体的に結合されている第１のポートと；パウチ本体に形成されかつ第１のチャンバに流体的に結合されている第２のポートと；パウチ本体に形成されかつ第２のチャンバに流体的に結合されている第１の蒸発ポートと；パウチ本体に形成されかつ第２のチャンバに流体的に結合されている第２の蒸発ポートと；パウチ本体に形成されかつ第３のチャンバに流体的に結合されている第３の蒸発ポートと；パウチ本体に形成され、かつ第２の端部に近接した第３のチャンバに流体的に結合されている第４の蒸発ポートとを含む。
【００１０】
例示的実施形態の他の態様、特徴、および利点は、以下の図面および詳細な説明を参照して明らかとなる。
【図面の簡単な説明】
【００１１】
【図１】図１は、インライン式貯蔵・液体処理パウチを含む、減圧を用いて患者の組織部位を治療するためのシステムの例示的実施形態の概略的な断面図である。
【図２】図２は、線２−２に沿って取った、全体的な断面図とする、図１のインライン式貯蔵・液体処理パウチの概略的な横断面図である。
【図３】図３は、インライン式貯蔵・液体処理パウチの例示的実施形態の概略的な横断面図である。
【図４】図４は、インライン式貯蔵・液体処理パウチの例示的実施形態の概略的な縦断面図である。
【図５】図５は、インライン式貯蔵・液体処理パウチの例示的実施形態の概略的な平面図である。
【図６】図６は、インライン式貯蔵・液体処理パウチの例示的実施形態の一部分を断面（横）にした概略的な斜視図である。
【図７】図７は、いくつか変更した図６のインライン式貯蔵・液体処理パウチの概略的な縦断面図である。
【発明を実施するための形態】
【００１２】
以下の例示的非限定的な実施形態の詳細な説明では、その一部をなす添付図面を参照する。これらの実施形態を、当業者が本発明を実施できるのに十分な程度、詳細に説明し、ならびに、本発明の趣旨または範囲から逸脱せずに、他の実施形態を使用し得ること、および論理的な構造的、機械的、電気的、および化学的な変更がなされ得ることが理解される。当業者が、本明細書で説明する実施形態を実施できるようにするのに必要ではない詳細を避けるために、説明では、当業者に公知の特定の情報を省略し得る。それゆえ、以下の詳細な説明は、限定ととられるべきではなく、例示的実施形態の範囲は、添付の特許請求の範囲によってのみ定義される。
【００１３】
ここで図面、主に図１〜２を参照すると、減圧を用いて患者１０４の組織部位１０２、例えば創傷１０３を治療するためのシステム１００が示されている。システム１００は、インライン式の貯蔵・液体処理パウチ１０６の例示的実施形態を含み、これにより、システム１００が、組織部位１０２からの、パウチを有しない場合に可能である量よりも多量の液体を、処理できるようにするだけでなく、他の考えられる利益も提供する。
【００１４】
組織部位１０２における図示の創傷１０３は、表皮１０８を通って真皮１１０に至る。組織部位１０２には減圧ドレッシング１１２が配置され、減圧ドレッシングは、組織部位１０２からの流体を受け取るように動作可能である。減圧ドレッシング１１２は、患者からの流体を受け取る任意のタイプのドレッシングとし得るが、創傷インターフェースマニホールド１１３およびドレープ１１５を備えるドレッシングとして示す。実際、減圧ドレッシング１１２は、ストーマ袋などの体液用容器から流体を除去することのみを含み得る。組織部位１０２からの、液体を含む流体は、減圧インターフェース１１４を通って、インライン式貯蔵・液体処理パウチ１０６に流体的に結合されている第１の減圧導管１１６に供給される。
【００１５】
インライン式貯蔵・液体処理パウチ１０６の例示的実施形態の概要として、インライン式貯蔵・液体処理パウチ１０６はパウチ本体１１８を含み、パウチ本体は、外壁１１９で形成され、かつ第１の高透湿度部材１２２によって２つの部分に分割された内部１２０を有する。外壁１１９および第１の高透湿度部材１２２は、第１のチャンバ１２４および第２のチャンバ１２６を形成する。第１のチャンバ１２４内には貯蔵材１２８が配置される。第２のチャンバ１２６には空気移動マニホールド１３０が配置される。インライン式貯蔵・液体処理パウチ１０６のこれらの態様および他の態様をさらに説明する。
【００１６】
第１のポート１３２がパウチ本体１１８に形成され、かつ第１のチャンバ１２４に流体的に結合されている。第２のポート１３４がパウチ本体１１８に形成され、かつ第１のチャンバ１２４に流体的に結合されている。第１の蒸発ポート１３６がパウチ本体１１８に形成され、かつ第２のチャンバ１２６に流体的に結合されている。第２の蒸発ポート１３８がパウチ本体１１８に形成され、かつ第２のチャンバ１２６に流体的に結合されている。第２のポートには、減圧源、例えば、マイクロポンプ（図４参照）によって直接、または第２の減圧導管１４０（図１）によって、減圧が適用されている。第２のチャンバ１２６の出口である第１の蒸発ポート１３６は、第１の蒸発ポート１３６を覆って細菌濾過器を有し、第２のチャンバ１２６から空気が出る前に、空気を濾過し得る。
【００１７】
このように、矢印１４２で示すように、減圧ドレッシング１１２から液体が第１のチャンバ１２４に入る。下流のポートに、すなわち、図１の第２のポート１３４に疎水性フィルタ１３５または他の装置を配置して、液体が下流のポートを通って出ないようにしてもよい。矢印１４４で示すように、空気は、第２のチャンバ１２６において流れを発生させ、それにより、第１の高透湿度部材１２２にわたって相対湿度勾配を生じさせるまたはそれを維持するのを助け、かつインライン式貯蔵・液体処理パウチ１０６から、より一般的にはシステム１００から液体を除去するのを助ける。本明細書を通して空気について述べるが、別の作動ガスを使用し得ること、および空気は第１の高透湿度部材１２２にわたって湿度勾配を生じるガスを指すという広い意味で使用されることを理解されたい。
【００１８】
第１の高透湿度部材１２２は、蒸気は出ることができるが液体は出ることができない任意の材料から形成し得る。「透湿度」または「ＭＶＴＲ」は、所与の期間内に材料を通過できる水分量を表す。第１の高透湿度部材１２２は、一般に３００ｇ／ｍ２／２４時間超、およびより典型的には１０００ｇ／ｍ２／２４時間以上の透湿度を有する。第１の高透湿度部材１２２は、蒸気が第１のチャンバ１２４から第２のチャンバ１２６へ出るまたは拡散することができるようにするが、液体はそのようにできない。
【００１９】
第１の高透湿度部材１２２は、以下のうちの１つ以上を含み得る：親水性ポリウレタン、セルロース誘導体、親水性ポリアミド、Ｅｘｏｐａｃｋ  Ａｄｖａｎｃｅｄ  Ｃｏａｔｉｎｇｓ（Ｗｒｅｘｈａｍ、Ｕｎｉｔｅｄ  Ｋｉｎｇｄｏｍ）からのＩＮＳＰＩＲＥ２３０１材；被覆されていない薄いポリマードレープ；またはポリビニルアルコール、ポリビニルピロリドン、親水性アクリル、親水性シリコーンエラストマーおよびこれらのコポリマー。ＩＮＳＰＩＲＥ２３０１の図示のフィルムは、１４５００〜１４６００ｇ／ｍ２／２４時間のＭＶＴＲ（インバーテッドカップ（ｉｎｖｅｒｔｅｄ  ｃｕｐ）技術）を有する。ｗｗｗ．ｅｘｏｐａｃｋａｄｖａｎｃｅｄｃｏａｔｉｎｇｓ．ｃｏｍを参照のこと。第１の高透湿度部材１２２の厚さは可変としてもよく、例えば１０〜４０ミクロン（μｍ）、例えば、１５、２０、２５、３０、３５、４０ミクロンとし得る（述べた範囲の全ての数字を含む）。
【００２０】
第１の高透湿度部材１２２の患者対面側面１２３は、貯蔵材１２８の上面（図１に示す向きで）に、例えば、第２の吸上部材１６２の上部に、取付装置（図示せず）、例えば、接着剤またはセメントによって結合され得る。そのような実施形態では、ＭＶＴＲに関する第１の高透湿度部材１２２の性能は、患者対面側面１２３の表面積の限られた部分のみを取付装置によって覆うことによって、高められ得る。例えば、例示的一実施形態によれば、患者対面側面１２３の表面積の３０〜６０％のみが取付装置によって覆われている。患者対面側面１２３上に取付装置によって限定的に被覆することは、取付装置をパターン、例えば、グリッド、離間したドット、渦、または他のパターンで適用することによって達成し得る。別の実施形態では、第１の高透湿度部材１２２は、貯蔵材１２８へ、溶接（例えば、超音波溶接またはＲＦ溶接）、ボンド、ステッチ、ステープル、または別の結合装置によって結合され得る。他の実施形態では、取付装置がない。
【００２１】
第２のチャンバ１２６における空気の流れは、いずれかの方向において達成され得、および図１では、第１のチャンバ１２４の減圧流と反対方向に流れるように示す。図示の実施形態では、第２の蒸発ポート１３８に正圧が適用される。正圧は、マイクロポンプまたは他の装置（図４参照）によって直接、または圧力導管１４６によって供給された正圧によって適用され得る。第２の蒸発ポート１３８に正圧を適用するように構成されると、第１の蒸発ポート１３６は、流れている空気が第２のチャンバ１２６を出るための出口として機能する。あるいは、減圧が、第２の蒸発ポート１３８に直接または圧力導管１４６を通して適用され得る。その場合、第１の蒸発ポート１３６は、空気が第２のチャンバ１２６に入ることができるようにする吸気口として機能する。
【００２２】
パウチ本体１１８は多数の方法で形成し得る。例示的一実施形態によれば、外壁１１９は、第１のシール部材１４８および第２のシール部材１５０によって形成され得る。第１のシール部材１４８は、末端１５２においてボンド１４９によって第２のシール部材１５０に接合される。第１の高透湿度部材１２２は、第１のシール部材１４８と第２のシール部材１５０との間に配置され、かつ同様にボンド１４９によって接合され得る。それにより、第１の高透湿度部材１２２は、内部１２０に２つの部分を形成してまたは内部を２等分して（必ずしも各部分が等しくはない）、第１のチャンバ１２４および第２のチャンバ１２６を形成する。
【００２３】
第１のシール部材１４８は任意の材料から形成され、この材料は、第１のシール部材１４８を通って空気が流れないようにし、かつ典型的には液不透過性でもある。一部の実施形態では、第１のシール部材１４８は、追加的な液体が第２のチャンバ１２６を出ることができるようにする高透湿度の材料とし得る。第２のシール部材１５０は任意の液不透過性材料から形成される。一般に、第１のシール部材１４８および第２のシール部材１５０は、以下のうちの１つ以上から形成される：天然ゴム、ポリイソプレン、スチレンブタジエンゴム、クロロプレンゴム、ポリブタジエン、ニトリルゴム、ブチルゴム、エチレンプロピレンゴム、エチレンプロピレンジエンモノマー、クロロスルホン化ポリエチレン、多硫化ゴム、ポリウレタン（ＰＵ）、ＥＶＡフィルム、コ−ポリエステル、シリコーン、シリコーンドレープ、３Ｍ  Ｔｅｇａｄｅｒｍ（登録商標）ドレープ、またはＡｖｅｒｙ  Ｄｅｎｎｉｓｏｎ  Ｃｏｒｐｏｒａｔｉｏｎ（Ｐａｓａｄｅｎａ、Ｃａｌｉｆｏｒｎｉａ）から入手可能なものなどのポリウレタン（ＰＵ）ドレープ、または第１の高透湿度部材１２２に述べた任意の材料、または他の適切な材料。第１のシール部材１４８は、液不透過性である必要はなく、かつ、材料が被覆されているかまたは空気の流れを含むように構成されている限り、織り材料または不織材料からも形成し得る。
【００２４】
ポート１３２、１３４、１３６、および１３８は、パウチ本体１１８を貫通して形成される。一般に、各一対のポート（１３２および１３２；１３６および１３８）は、互いに可能な限り離れるように位置決めされて、液体の分配または蒸発を最大限にする。それゆえ、例えば、一般に第１のポート１３２は、パウチ本体１１８の第１の端部１５４に位置決めされ、および第２のポート１３４は第２の端部１５６に位置決めされる。同様に、第１の蒸発ポート１３６は第１の端部１５４にあり、および第２の蒸発ポート１３８は第２の端部１５６にある。
【００２５】
貯蔵材１２８は第１のチャンバ１２４に配置される。貯蔵材１２８は、液体を含む流体を受け取って流体を保持する任意の材料である。例えば、限定はされないが、貯蔵材１２８は、以下のうちの１つ以上から形成され得る：吸収部材１５８、第１の吸上部材１６０、第２の吸上部材１６２。図２の例示的実施形態では、貯蔵材１２８は、吸収層１５８および２つの吸上部材１６０、１６２を含む。図３の例示的実施形態では、貯蔵材１２８は吸収部材１５８のみである。
【００２６】
吸収部材１５８は、液体を保持する任意の材料としてもよく、かつ以下のうちの１つ以上を含み得る：ＢＡＳＦ４０２ｃ、Ｔｅｃｈｎｉｃａｌ  Ａｂｓｏｒｂｅｎｔｓ２３１７、ポリアクリル酸ナトリウム超吸収材、セルロース誘導体（カルボキシメチルセルロースおよびＣＭＣナトリウムなどの塩）、またはアルギン酸。第１の吸上部材１６０および第２の吸上部材１６２は、以下のうちの１つ以上から形成され得る：Ｌｉｂｅｌｔｅｘ  ＴＤＬ２などの不織ファブリック、３Ｄスペーサファブリックおよびテキスタイル（Ｂａｌｔｅｘ（Ｉｌｋｅｓｔｏｎ、Ｄｅｒｂｙ、ＵＫ））を含む織りのファブリック、連続気泡発泡体、または焼結ポリマー。
【００２７】
図１〜２の例示的実施形態では、貯蔵材１２８は、第１の吸上部材１６０と、吸収部材１５８と、第１の高透湿度部材１２２に近接する第２の吸上部材１６２とを含む。第１の吸上部材１６０および第２の吸上部材１６２は、それらの周辺縁部１６５において、図示の通り連結器１６３によって結合され得る。連結器１６３は、限定はされないが、溶接（例えば、超音波溶接またはＲＦ溶接）、ボンド、接着、セメント、ステッチ、ステープル、または別の結合装置を含む、任意の公知の技術を使用して形成され得る。あるいは、第１の吸上部材１６０および第２の吸上部材１６２は、少なくともそれらの末端（重なっている部分）において互いに隣接して配置され、かつ互いに接触した状態に保持されて、それらの間の流体連通を可能にし得る。それゆえ、吸上層１６０、１６２は、互いに流体連通して、吸上層１６０と１６２との間を、および、吸収層１５８における流体の流れが抑制または遮断されていると、ときには吸上層１６０、１６２に沿って、流体が流れるようにし得る。
【００２８】
ここで図４を参照すると、患者からの体液用のインライン式貯蔵・液体処理パウチ１０６の別の例示的実施形態が示されている。インライン式貯蔵・液体処理パウチ１０６は、多くの点で図１〜３のインライン式貯蔵・液体処理パウチ１０６と類似しており、従って、いくつかの部分には同じ符号を付すが、さらに説明することはしない。インライン式貯蔵・液体処理パウチ１０６は第１のマイクロポンプ１６４を含み、第１のマイクロポンプは、パウチ本体１１８に結合され、かつ第２のポート１３４に流体的に結合されている。第１のマイクロポンプ１６４は、第２のポート１３４に供給される減圧を生成するように動作可能である。第１のマイクロポンプは、減圧を生成できかつパウチ本体１１８に直接取り付けることができる程度に小型で軽量な任意のポンプとし得る。例えば、限定するものではないが、米国特許出願公開第２００９／０２４０１８５号明細書（米国特許出願第１２／３９８，９０４号明細書；２００９年３月５日出願）（「Ｄｒｅｓｓｉｎｇ  ａｎｄ  Ｍｅｔｈｏｄ  ｆｏｒ  Ａｐｐｌｙｉｎｇ  Ｒｅｄｕｃｅｄ  Ｐｒｅｓｓｕｒｅ  Ｔｏ  ａｎｄ  Ｃｏｌｌｅｃｔｉｎｇ  Ａｎｄ  Ｓｔｏｒｉｎｇ  Ｆｌｕｉｄ  ｆｒｏｍ  ａ  Ｔｉｓｓｕｅ  Ｓｉｔｅ」）（あらゆる点において本願明細書に援用する）に示されているマイクロポンプを使用し得る。
【００２９】
同様に、第２のマイクロポンプ１６６がパウチ本体１１８に結合され、かつ第２の蒸発ポート１３８に流体的に結合されている。第２のマイクロポンプ１６６は、第２のチャンバ１２６に、第１の蒸発ポート１３６と第２の蒸発ポート１３８との間での空気の流れを生成するように、動作可能である。第２のマイクロポンプ１６６は、第１のマイクロポンプと同様であるが、矢印１６８によって示しているように空気を吸引するかまたは空気を押し出すかのいずれかを行うように構成し得る。後者の状況では、空気は、第２の蒸発ポート１３８から第２のチャンバ１２６を通って第１の蒸発ポート１３６まで移動する。インライン式貯蔵・液体処理パウチ１０６は、マイクロポンプ１６４、１６６の一方または双方を備えて、または図１に示すように１つ以上の導管１４０、１４６を備えて形成し得る。第１の減圧導管１１６は、創傷ドレッシング（図示せず）、例えば図１の減圧ドレッシング１１２に、および第１のポート１３２に流体的に結合される。図５に示すように、減圧ドレッシングはまた、第１のポート１３２に直接結合され得る。
【００３０】
ここで主に図５を参照すると、インライン式貯蔵・液体処理パウチ１０６を含む、減圧を用いて患者の組織部位を治療するための図示のシステム１００の平面図が示されている。インライン式貯蔵・液体処理パウチ１０６は、図１〜３のインライン式貯蔵・液体処理パウチ１０６にほとんどの点で類似しており、従って、いくつかの部分に同じ符号を付すが、さらに説明することはしない。加えて、参照するが明示はしない構成要素は、先に示した構成要素と同様である。図５の実施形態は、主に、パウチ本体１１８が主部分１７０およびネック部分１７２を有し、かつ第１のポート１３２が減圧ドレッシング１１２に直接結合されている点で異なる。
【００３１】
インライン式貯蔵・液体処理パウチ１０６は、多くの異なる形状を取り得ることに留意されたい。インライン式貯蔵・液体処理パウチ１０６のいくつかの実施形態は、患者に装着するためのものであり、および他の実施形態は、患者近くの固定位置のためのものとし得る。一部の実施形態では、第２のチャンバ１２６は第１のチャンバ１２４を取り囲んでもよいし、または他の構成を使用してもよい。パウチ本体１１８はまた、異なるサイズを取り得る。例示的一実施形態では、パウチ本体１１８の表面積は、平面図において、２００平方センチメートル超、および７３０平方センチメートル未満である。
【００３２】
図５の実施形態では、減圧は、第１のチャンバに生じ、およびその減圧によって、液体が減圧ドレッシング１１２から第１のポート１３２に直接入り、かつ第１のチャンバに分配される。マイクロポンプ１６６は、空気移動マニホールドに対して空気を押し込んだり吸引したりする。それゆえ、空気は第１の蒸発ポート１３６を通って出入りし、このポートは、この実施形態では、複数のアパーチャを含む。第２のチャンバにおける空気の動きにより、第１の高透湿度部材にわたって強い湿度勾配を確立し、それゆえ、液体がシステム１００から出るように処理される。
【００３３】
ここで主に図６および図７を参照すると、インライン式貯蔵・液体処理パウチ１０６の別の例示的実施形態が示されている。インライン式貯蔵・液体処理パウチ１０６は、ほとんどの点で図１〜３のインライン式貯蔵・液体処理パウチ１０６と類似しており、従って、いくつかの部分に同じ符号を付すが、さらに説明することはしない。加えて、参照するが明示はしない構成要素は、先に示した構成要素と同様である。この実施形態は、主に、内部１２０に３つのチャンバが形成されて、第１のチャンバ１２４の両側で蒸発がもたらされる点が異なる。
【００３４】
外壁１１９を有してパウチ本体１１８が形成される。パウチ本体１１８は、第１の高透湿度部材１２２および第２の高透湿度部材１７４によって仕切られて、第１のチャンバ１２４、第２のチャンバ１２６、および第３のチャンバ１７６を形成する。第２の高透湿度部材１７４は、既に示したような第１の高透湿度部材１２２と同じ材料から形成し得る。第１のチャンバ１２４は、第２のチャンバ１２６と第３のチャンバ１７６との間にある。先の実施形態のように、第１のチャンバ１２４内には貯蔵材１２８が配置され、および第２のチャンバ１２６には、第１の空気移動マニホールド１７８である空気移動マニホールド１３０が配置される。さらに、第３のチャンバ１７６には第２の空気移動マニホールド１８０が配置される。第１の空気移動マニホールド１７８および第２の空気移動マニホールド１８０は、図１〜３において第１の空気移動マニホールド１３０に対して既に述べたものと同じ材料の１つ以上から形成される。
【００３５】
貯蔵材１２８は、既に述べた材料のいずれかとし得る。図６および図７は、貯蔵材１２８に関して互いにわずかに異なる。図６の貯蔵材１２８は、第１の吸上部材１６０と第２の吸上部材１６２との間に配置された吸収部材１５８を有する。対照的に、図７の貯蔵材１２８は吸収部材１５８のみである。
【００３６】
主に図７を参照すると、図６のインライン式貯蔵・液体処理パウチ１０６の概略的な縦断面が示されている。この図では様々なポートが最もよく示されている。パウチ本体１１８は第１のポート１３２を備えて形成され、この第１のポートはパウチ本体１１８に形成され、かつ第１のチャンバ１２４に流体的に結合されている。第２のポート１３４もパウチ本体１１８に形成され、かつ第１のチャンバ１２４に流体的に結合されている。第１の蒸発ポート１３６および第２の蒸発ポート１３８は、パウチ本体１１８に形成され、かつ第２のチャンバ１２６に流体的に結合されている。さらに、第３の蒸発ポート１８２がパウチ本体１１８に形成され、かつ第３のチャンバ１７６に流体的に結合されている。同様に、第４の蒸発ポート１８４がパウチ本体１１８に形成され、かつ第３のチャンバ１７６に流体的に結合されている。最大限に分配または蒸発させるために、各一対のポートは、一般に互いに離れており、かつ通常、一方は第１の端部１５４にあり、および他方は第２の端部１５６にある。
【００３７】
図６および図７を全体的に参照すると、例示的一実施形態によれば、動作中、第１のポート１３２は、創傷ドレッシング（例えば、図１の減圧ドレッシング１１２）に流体的に結合され、かつそこから液体を含む流体を受け取る。液体は、第１のポート１３２を通して第１のチャンバ１２４に適用された減圧によって、第２のポート１３４を通って第１のチャンバ１２４に入る。液体は、矢印１４２で示すように、第２のポート１３４から第１のポート１３２まで貯蔵材１２８内で分配される。貯蔵材１２８の液体は、第１の高透湿度部材１２２および第２の高透湿度部材１７４の双方と相互作用する。
【００３８】
矢印１４４で示すように、第２のチャンバ１２６に空気の流れが生じる。第１の蒸発ポート１３６に対しておよび第２の蒸発ポート１３８に対して空気の流入または流出が生じ得る。第２のチャンバ１２６の空気の流れは、蒸発ポート１３６、１３８の一方に正圧または減圧を適用することによって生じる。さらに、矢印１８６で示すように、第３のチャンバ１７６に空気の流れが生じる。第３の蒸発ポート１８２に対しておよび第４の蒸発ポート１８４に対して空気の流入または流出が生じ得る。第３のチャンバ１７６における流れは、蒸発ポート１８２、１８４の一方に正圧または減圧を適用することによって生じる。このように、第１のチャンバ１２４の両側での空気の流れによって、インライン式貯蔵・液体処理パウチ１０６から出るように液体を処理するインライン式貯蔵・液体処理パウチ１０６の能力を高める。
【００３９】
本明細書の全ての実施形態において、第２のチャンバ１２６（および適用できる場合には第３のチャンバ１７６）を通る空気の動きは、連続的に、断続的に、または能動的に制御される。後者の状況では、飽和センサーが、第１のチャンバ１２４に、または高透湿度部材１２２、１７４の外側に向く側面に適用される。飽和センサーは、貯蔵材１２８の飽和状態を監視できる任意の装置とし得る。例えば、限定はされないが、飽和センサーは、液体がセンサーを覆うと抵抗を変化させる抵抗素子、創傷からの液体で覆われると電圧を生じるガルバニ電池、飽和液体が近くにあると性質を変化させる静電容量センサー、または任意の他の電気的飽和センサーとし得る。飽和センサーはコントローラに結合され、およびコントローラおよび飽和センサーは、貯蔵材１２８または高透湿度部材１２２、１７４が飽和するときを判断する。飽和を検出すると、コントローラは、減圧または正圧のいずれかを排出ポート１３６、１３８の一方に供給する圧力源を起動させ得る。飽和センサーおよびコントローラが、貯蔵材１２８は飽和していないと判断すると、コントローラは圧力源の動作を停止させる。
【００４０】
別の例示的実施形態では、インライン式貯蔵・液体処理パウチ１０６は、体液袋、例えば、ストーマ袋に直接結合される。インライン式貯蔵・液体処理パウチ１０６は、流体袋自体の外壁を形成し得る。
【００４１】
本明細書で提示する図示のシステムおよびインライン式貯蔵・液体処理パウチでは、いくつもの利点が認識される。これらには、そうでない場合に可能なものよりも高容量の流体を管理する能力を含む。この点について、創傷からの滲出液は、約８８％の水および１２％の他の物質を含むことが多いことを考慮し得る。そのような装置が使用中である場合、システムは、比較的長い期間、変更する必要はないこともある。さらに、インライン式貯蔵・液体処理パウチは、多方向のものであり、かつ使用するとき、キャニスターよりも少数の部分を含む。そのうえ、インライン式貯蔵・液体処理パウチは、薄型かつ軽量である。これらは、考えられる利点のいくつかにすぎない。
【００４２】
本発明およびその利点を、いくつかの例示的非限定的な実施形態に関連して説明したが、添付の特許請求の範囲で定義した本発明の範囲から逸脱せずに、様々な変更、代替、置換、および修正をなし得ることを理解されたい。いずれか一つの実施形態に関連して説明された任意の特徴はまた、任意の他の実施形態にも適用可能であり得ることを理解されたい。
【００４３】
上述の利益および利点は、一実施形態に関連し得ること、またはいくつかの実施形態に関連し得ることを理解されたい。「１つの（ａｎ）」品目への言及は、１つ以上のそれら品目を指すことをさらに理解されたい。
【００４４】
本明細書で説明した方法のステップは、任意の好適な順序で、または適切な場合には同時に実施し得る。
【００４５】
適切な場合には、上述の実施形態のいずれかの態様を、説明の任意の他の実施形態の態様と組み合わせて、類似のまたは異なる特性を有しかつ同じまたは異なる問題に対処する別の例を形成する。
【００４６】
好ましい実施形態の上述の説明は例示にすぎず、当業者は様々な修正をなし得ることを理解されたい。上述の明細書、例およびデータは、本発明の例示的な実施形態の構造および使用の完全な説明を提供する。本発明の様々な実施形態を、ある程度詳細に、または１つ以上の個々の実施形態を参照して上記で説明したが、当業者は、特許請求の範囲から逸脱せずに、開示の実施形態に多数の修正をなすことができる。
【図１】
2014516294.tif 000003
【図２】
2014516294.tif 000004
【図３】
2014516294.tif 000005
【図４】
2014516294.tif 000006
【図５】
2014516294.tif 000007
【図６】
2014516294.tif 000008
【図７】
2014516294.tif 000009
【国際調査報告】
2014516294.tif 000010
2014516294.tif 000011